(57)【特許請求の範囲】
【請求項１】
電装品箱（５）と、四路弁コイル（６）のように電装品箱（５）以外の部分に取付けられる電気的駆動機構（Ｍ）とを備え、上記電装品箱（５）に、上記電気的駆動機構（Ｍ）を取外し可能に仮固定する固定手段（Ｋ）を設けた空気調和機であって、上記電気的駆動機構（Ｍ）が、冷媒系統回路側の四路弁コイル（６）、電磁弁コイル、及び電動弁コイル（７）のいずれかのコイルであり、上記コイルが、コイル本体（３０）と、このコイル本体（３０）を包囲状とするコの字状のフレーム（３１）とを備え、コイル固定手段（１５）が、上記コイル本体（３０）とフレーム（３１）との間に挿入される第１立上片（１６）と、このフレーム（３１）の外側に配設されてこの第１立上片（１６）とでもってこのフレーム（３１）を挟持する第２立上片（１７）とを備えたことを特徴とする空気調和機。
【請求項２】
上記第１立上片（１６）及び第２立上片（１７）の少なくとも一方の先端部に、上記フレーム（３１）に係脱自在に係止する係止爪（２２）を設け、係止爪係止解除状態では、上記コイルの上方へのスライドを許容して上記挟持を解除し、係止爪係止状態では、上記コイルの上方へのスライドを規制して上記挟持を保持することを特徴とする請求項１の空気調和機。
【請求項３】
上記コイルが、電装品箱（５）の側壁（９）の外側に仮固定されることを特徴とする請求項１又は請求項２の空気調和機。
【請求項４】
上記コイルが、電装品箱（５）に取付けられる端子盤（１４）に隣接して仮固定されることを特徴とする請求項３の空気調和機。
【発明の詳細な説明】
【０００１】
【発明の属する技術分野】
この発明は、空気調和機に関するものである。
【０００２】
【従来の技術】
空気調和機は、室内機と室外機とを備え、室外機の室外機ケーシングには、ファン、圧縮機、及び電装品箱等が内装される。そして、この室外機を組立てる場合、各種の構成部品をそれぞれ別の工程において組立て、この組立てた各構成部品を、メインの最終組立工程に搬送して、この最終組立工程にて最終の組立を行って製品化していた。すなわち、この最終組立工程において、ファンモータや四路弁コイル等のアクチュエータが取付けられる。
【０００３】
【発明が解決しようとする課題】
四路弁コイル等のような部品は、リード線を備えると共にこのリード線の先端にコネクタが付設されている。このため、従来では、最終組立工程において、コネクタ接続作業等を行う必要があり、この最終組立工程における組立工数が多くなると共に、コネクタの外れ検査等の品質確認工程も行う必要があり、製品組立工程時間が大となり、生産性に劣っていた。また、このような構成部品を最終組立工程に搬送する場合、搬送しにくく、コネクタ等を破損させるおそれがあると共に、リード線が垂下しており作業員にとっては作業しにくいもの（ハンドリング性が悪いもの）となっている。
【０００４】
この発明は、上記従来の欠点を解決するためになされたものであって、その目的は、最終の組立工程における組立工数の減少を図り、しかも最終の組立工程への部品供給を安定して行うことが可能な空気調和機の提供にある。
【０００５】
【課題を解決するための手段】
そこで請求項１の空気調和機は、電装品箱５と、四路弁コイル６のように電装品箱５以外の部分に取付けられる電気的駆動機構Ｍとを備え、上記電装品箱５に、上記電気的駆動機構Ｍを取外し可能に仮固定する固定手段Ｋを設けた空気調和機であって、上記電気的駆動機構Ｍが、冷媒系統回路側の四路弁コイル６、電磁弁コイル、及び電動弁コイル７のいずれかのコイルであり、上記コイルが、コイル本体３０と、このコイル本体３０を包囲状とするコの字状のフレーム３１とを備え、コイル固定手段１５が、上記コイル本体３０とフレーム３１との間に挿入される第１立上片１６と、このフレーム３１の外側に配設されてこの第１立上片１６とでもってこのフレーム３１を挟持する第２立上片１７とを備えたことを特徴としている。
【０００６】
上記請求項１の空気調和機では、電気的駆動機構Ｍ、例えば四路弁コイル６を電装品箱５に仮固定することができ、このため、各種の電装品を装着した状態の電装品箱５に、四路弁コイル６を仮固定すると共に、コネクタを電装品箱５のプリント基板のコネクタに差し込んだ状態で、この電装品箱５を最終組立工程へ搬送すれば、最終組立工程において、コネクタの接続作業を行う必要がなくなる。さらに、電装品箱５とともに最終の組立工程へ搬送されてきた四路弁コイル６を電装品箱５から取り外すことが可能であり、この最終の組立工程において、四路弁コイル６を電装品箱５から取り外して、正規の位置に取り付けることができる。また、コイル本体３０とフレーム３１との間に第１突出片１６を挿入すれば、フレーム３１の外側に配設される第２立上片１７とこの第１突出片１６とでもって、このフレーム３１を挟持することができ、コイルを電装品箱５に仮固定することができる。しかも、第１突出片１６をコイル本体３０とフレーム３１との間から引き抜けば、コイルを電装品箱５から取り外すことができる。
【０００７】
請求項２の空気調和機は、上記第１立上片１６及び第２立上片１７の少なくとも一方の先端部に、上記コイルのフレーム３１に係脱自在に係止する係止爪２２を設け、係止爪係止解除状態では、上記コイルの上方へのスライドを許容して上記挟持を解除し、係止爪係止状態では、上記コイルの上方へのスライドを規制して上記挟持を保持することを特徴としている。
【０００８】
上記請求項２の空気調和機では、上記コイルのコイル本体３０とフレーム３１との間に第１突出片１６を挿入すれば、第１立上片１６及び第２立上片１７の少なくとも一方の先端部に設けられた係止爪２２がフレーム３１に係止し、この係止爪係止状態では、上記コイルの上方へのスライドを規制して上記挟持を保持することができ、安定した仮固定状態を保持することができる。また、この係止爪の係止を解除すれば、コイルの上方へのスライドを許容して挟持を解除することができて、このコイルを電装品箱５から取り外すことができる。
【０００９】
請求項３の空気調和機は、上記コイルが、電装品箱５の側壁９の外側に仮固定されることを特徴としている。
【００１０】
上記請求項３の空気調和機では、上記コイルが、電装品箱５の側壁９の外側に仮固定されるので、電装品箱５からコイルを取り外す場合、この電装品箱５の外側からの取外し操作が可能となる。
【００１１】
請求項４の空気調和機は、上記コイルが、電装品箱５に取付けられる端子盤１４に隣接して仮固定されることを特徴としている。
【００１２】
上記請求項４の空気調和機では、上記コイルが、電装品箱５に取付けられる端子盤１４に隣設して仮固定されるので、電装品箱５にとって各種の電装品が装着されない空間に、コイルが仮固定されることになり、電装品箱５に装着される電装品に対してこのコイルは邪魔とならない。しかも、電装品箱５に端子盤１４を装着した場合、この電装品箱５から端子盤１４が突出し、コイルを仮固定したとしても、電装品箱５の搬送中にそのコイルの突出部位が邪魔にならない。
【００１３】
【発明の実施の形態】
次に、この発明の空気調和機の具体的な実施の形態について、図面を参照しつつ詳細に説明する。図５は、空気空調機の室外機の要部拡大斜視図を示し、この空気空調機の室外機は、圧縮機１と、熱交換器２と、四路切換弁３と、電動弁４と、電装品箱５（図２と図３参照）と、図示省略のファン等を備え、これらが図示省略の室外機ケーシングに内装される。そして、四路切換弁３には、四路弁コイル６が取付けられ、電動弁４には、電動弁コイル７が取付けられている。
【００１４】
電装品箱５は、四路切換弁３等より上方位置に配設され、図２と図３に示すように、矩形の底板８と、この底板８の外周から立設される側壁９とからなり、その内部に、図示省略のプリント基板等の電装品が配設される。また、側壁９は、短辺壁１１と、長辺壁１２、１３と、図示省略の短辺壁とからなり、この図示した短辺壁１１（圧縮機１側）の外側（つまり、外面）に、端子盤１４が取付けられる。
【００１５】
そして、電装品箱５の側壁９（具体的には、短辺壁１１の一方の長辺壁１３側）には、図１に示すように、電気的駆動機構Ｍ（電装品箱５以外の部分に取付けられるものであって、この場合、冷媒系統回路側の四路弁コイル６である）を、取外し可能として仮固定する固定手段Ｋを設けている。固定手段Ｋは、この場合コイル固定手段１５であって、端子盤１４に隣接して配置されており、第１立上片１６、１６と、第２立上片１７とを備える。すなわち、側壁９の外面に、上方及び側方へ開口する凹所１８を形成し、この凹所１８の底面（下面）１９から一対の第１立上片１６、１６を所定間隔で立設すると共に、この凹所１８の側壁２０に、第１立上片１６、１６と対面するように、スリット２１、２１を形成し、このスリット２１、２１間の残部をもって上記第２立上片１７としている。また、第１立上片１６と第２立上片１７との間には、隙間Ｓ1 が設けられ、さらに、第２立上片１７の先端部には、第１立上片１６側へ突出する係止爪２２が設けられている。この係止爪２２は、その断面形状が略三角形状とされ、その下面２３が水平面状とされ、その上面２４が第１立上片１６側に向かって下方向に傾斜する傾斜面とされている。
【００１６】
また、図２と図３に示すように、この電装品箱５の一方の長辺壁１３の外面には、上記四路弁コイル６のリード線２５が係脱可能にする係止片２６が、設けられている。係止片２６は、長辺壁１３からこの長辺壁１３と直交する方向へ突設される第１部２７と、この第１部２７からこの長辺壁１３と略平行に短片壁１１側へ突設される第２部２８とからなる。また、第２部２８は小幅部２８ａと大幅部２８ｂとからなる。すなわち、リード線２５は、図３のように、下方から大幅部２８ｂと長辺壁１３との間に入って、この係止片２６の上方から電装品箱５内部へ進入することによって、この係止片２６に係止される。
【００１７】
ところで、四路弁コイル６は、図４（ａ）（ｂ）（ｃ）に示すように、コイル本体３０と、このコイル本体３０を包囲状とするコの字状のフレーム３１とを備え、コイル本体３０から上記リード線２５が突設される。すなわち、フレーム３１は、コイル本体３０を挟持する挟持片３１ａ、３１ｂと、この挟持片３１ａ、３１ｂの一端部を連結する連結片３１ｃとからなり、連結片３１ｃとコイル本体３０との間に隙間Ｓ2 が形成されている。この隙間Ｓ2 と、上記第１立上片１６の厚さ寸法Ａ（図１参照）とが略同一とされて、この第１立上片１６の隙間Ｓ2への挿入が可能とされる。また、連結片３１ｃの肉厚寸法Ｂと、上記第１立上片１６と第２立上片１７との間の隙間Ｓ1 とが略同一とされて、連結片３１ｃの隙間Ｓ1 への挿入が可能とされる。さらに、図１と図４に示すように、フレーム３１の幅寸法Ｗ2 と、上記凹所１８の幅寸法Ｗ1 とが略同一とされ、フレーム３１の高さ寸法Ｈ2 と、凹所１８の底面１９から係止爪２２の下面２３までの寸法Ｈ1 とが略同一とされる。
【００１８】
すなわち、図１の矢印Ｘで示すように、このコイル６をコイル固定手段１５の上方に位置させ、その状態からこのコイル６を下降させていけば、フレーム３１の連結片３１ｃの下端が、係止爪２２の傾斜している上面２２に当接し、この上面２２にガイドされながらこの連結片３１ｃが隙間Ｓ1 に挿入する。このため、連結片３１ｃが、第２立上片１７を内方へ押圧しながら弾性変形させ、隙間Ｓ1へ進入し、この進入と共に第１立上片１６、１６が隙間Ｓ2 （図４（ａ）参照）に挿入することになり、第１立上片１６、１６と第２立上片１７とでもって、コイル６のフレーム３１、具体的には連結片３１ｃを挟持することができる。そして、フレーム３１の下端が凹所１８の底面１９に当接した際には、第２立上片１７の係止爪２２がフレーム３１の連結片３１ｃの上端縁に係止する。これによって、コイル６をこのコイル固定手段１５でもって電装品箱５に固定（仮固定）することができる。また、この係止した状態から、第２立上片１７を電装品箱５の内方へ押圧して、この第２立上片１７を弾性変形させば、係止状態を解除することができ、この解除された状態では、上記コイル６の上方へのスライドが許容され、このコイル６を、上方へスライドさせれば、電装品箱５から取り外すことができる。
【００１９】
そして、フレーム３１の挟持片３１ａ、３１ｂ及びコイル本体３０には、貫孔３２が貫設され、最終組立状態では、図５に示すように、ボルト部材３３が、この貫孔３２に挿通され、四路切換弁３に螺着され、これによって、コイル６が四路切換弁３に取付けられる。
【００２０】
ところで、従来では、電装品箱と、冷媒系統回路側の四路弁コイルとは、別個の工程で組み立てられて別個に最終組立工程へ搬送されるものである。しかしながら、上記のように構成した電装品箱５と四路弁コイル６とは、最終組立工程に搬送前において、電装品箱５には、端子盤１４やプリント基板等が組み込まれ、四路弁コイル６が仮固定され、さらに、この四路弁コイル６のリード線２５には、コネクタが接続されて、このコネクタが電装品箱５のプリント基板のコネクタに差し込まれ、しかも、図３と図４に示すように、リード線２５が係止片２６に係止した状態とされる。このため、電装品箱５と四路弁コイル６等が一体化された状態で最終組工程へ搬送されることになり、四路弁コイル６及びこの四路弁コイル６のリード線２５は自由状態となることなく安定した状態で搬送され、この四路弁コイル６に接続されたコネクタ等の部品の破損を防止することが可能となる。
【００２１】
そして、最終工程へ搬送された電装品箱５と四路弁コイル６とは、その電装品箱５が室外機ケーシングに装着され、四路弁コイル６が、この電装品箱５から取り外され、図５に示すように、正規の位置である四路切換弁３にボルト部材３３を螺着することによって取付けられる。
【００２２】
上記のように電装品箱５は、四路弁コイル６が仮固定された状態で最終組立工程に搬送されるので、最終組立工程へ搬送される前において、コネクタの差し込み作業等が終了しており、この最終組立工程では、コネクタの差し込み作業を行う必要がないと共に、コネクタ抜け等の品質確認検査の削減が可能となって、組立作業時間の短縮化を図ることが可能となる。
【００２３】
以上にこの発明の具体的な実施の形態について説明したが、この発明は上記形態に限定されるものではなく、この発明の範囲内で種々変更して実施することができる。すなわち、この実施の形態では、電気的駆動機構Ｍとして、四路弁コイル６としたが、これに限らず、例えば、電動弁コイル７や電磁弁コイル等であってもよく、さらには、ファン電動機や室内機に使用されるファンロータの電動機等であってもよい。また、図１に示すコイル固定手段１５の係止爪２２としては、第２立上片１７に限らず、第１立上片１６の先端部に設けてもよく、さらには、第１立上片１６と第２立上片１７の両方に設けることも可能である。さらに、各立上片１６、１７の数としても、第１立上片１６を１個として、第２立上片１７を２個としたり、第１立上片１６と第２立上片１７とでもってコイル６のフレーム３１を挟持することが可能な範囲において変更できる。また、コイル固定手段１５の位置としても、電装品箱５に装着される各種の電装品の妨げにならない範囲で変更可能であり、固定手段Ｋとしても、実施の形態のようなコイル固定手段１５に限るものではなく、例えば、電気的駆動機構Ｍとして貫孔が設けられているものであれば、この貫孔に挿脱可能に挿入される軸部材等を備えたものであってもよい。
【００２４】
【発明の効果】
以上のように請求項１の空気調和機によれば、各種の電装品を装着した状態の電装品箱に、電気的駆動機構、例えば四路弁コイルを仮固定すると共に、コネクタを電装品箱のプリント基板のコネクタに差し込んだ状態でこの電装品箱を最終組立工程へ搬送すれば、最終組立工程において、コネクタの接続作業を行う必要がなくなる。このため、コネクタ差し込み不良を減少されて、品質の向上を図ることが可能となる。また、最終組立工程における組立作業時間の短縮を図ることができると共に、コネクタの抜け等の品質確認検査を削減でき、製品化への作業時間の短縮を図ることが可能となる。しかも、四路弁コイルが保護された状態で最終工程へ搬送することになり、この四路弁コイルに接続されたコネクタ等の部品の破損を防止することが可能となる。さらに、最終組立工程において、電装品箱とともに搬送された四路弁コイルを、電装品箱から取り外して、正規の位置に取り付けることができ、その取付作業性が優れる利点もある。また、コイルを、電装品箱に簡単に仮固定することができると共に、この仮固定状態から簡単に取り外すことができ、組立作業性に優れる。
【００２５】
請求項２の空気調和機によれば、コイルの仮固定の安定保持が可能となって、コイルの搬送性に優れる。
【００２６】
請求項３の空気調和機によれば、電装品箱からコイルを取り外す場合、この電装品箱の外側からの取外し操作ができ、最終組立作業を迅速に行うことが可能となる。
【００２７】
請求項４の空気調和機によれば、電装品箱にとって各種の電装品が装着されない空間に、コイルが仮固定されることになり、電装品箱に装着される電装品に対してこのコイルは邪魔とならず、この電装品箱に装着されるべき電装品を装着した状態でコイルを仮固定することができる。また、電装品箱に端子盤を装着した場合、この電装品箱から端子盤が突出し、コイルを仮固定したとしても、電装品箱の搬送中にそのコイルの突出部位が邪魔にならず、この状態での最終組立工程への搬送を安定して行うことが可能となる。
【図面の簡単な説明】
【図１】  本発明の一実施の形態である空気調和機の電装品箱とコイルの拡大斜視図である。
【図２】  空気調和機の電装品箱の一部省略平面図である。
【図３】  空気調和機の電装品箱の一部省略正面図である。
【図４】  空気調和機のコイルを示し、（ａ）は拡大側面図であり、（ｂ）は拡大正面図であり、（ａ）は拡大平面図である。
【図５】  空気調和機の室外機の要部斜視図である。
【符号の説明】
５  電装品箱
６  四路弁コイル
７  電動コイル
９  側壁
１４  端子盤
１５  コイル固定手段
１６  第１立上片
１７  第２立上片
２２  係止爪
３０  コイル本体
３１  フレーム
Ｋ  固定手段
Ｍ  電気的駆動機構
【図１】
0003669253.tif 000002
【図２】
0003669253.tif 000003
【図３】
0003669253.tif 000004
【図４】
0003669253.tif 000005
【図５】
0003669253.tif 000006